(57)【要約】【課題】スクリュ軸と軸封部との間からの樹脂およびガス漏れを防止することができる成形加工装置およびシール方法を提供する。【解決手段】  本発明の成形加工装置は、第二スクリュ２６の根元部２６ｃのうち、パッキンケース４２内に収納されたグランドパッキン４０に軸封されている領域と、大径部２６ｂに繋がる一端との間であり、接続部４３に対応する領域に、複数の螺旋状の溝部２６ｄが形成されている。また、これら各螺旋状の溝部２６ｄはそれぞれ独立して形成されているとともに、スクリュフライト２６ａと同じ方向に傾斜して設けられている。【選択図】図２
2006248115.tif 000002
【特許請求の範囲】
【請求項１】
第一押出機（１）から供給された成形材料を第二スクリュ（２６）によって混練しながら押出す第二押出機（３）を有する成形加工装置において、
前記第二スクリュ（２６）は、第二シリンダ（２５）内に収納され、スクリュフライト（２６ａ）が形成されている大径部（２６ｂ）と、前記第二シリンダ（２５）の後端側に接続部（４３）を介して設けられたパッキンケース（４２）内に収納され、一端が前記大径部（２６ｂ）に繋がり、他端が第二モータ（２８）に接続されている根元部（２６ｃ）とを有し、
前記根元部（２６ｃ）のうち、前記パッキンケース（４２）内に収納されたグランドパッキン（４０）に軸封されている領域と、前記大径部（２６ｂ）に繋がる前記一端との間であり、前記接続部（４３）に対応する領域には、複数の螺旋状の溝部（２６ｄ）が形成されていることを特徴とする成形加工装置。
【請求項２】
前記各螺旋状の溝部（２６ｄ）は互いに交差することなくそれぞれ独立して形成されている、請求項１に記載の成形加工装置。
【請求項３】
前記各螺旋状の溝部（２６ｄ）はそれぞれ前記スクリュフライト（２６ａ）と同じ方向に傾斜して設けられている、請求項１または２に記載の成形加工装置。
【請求項４】
高分子材料を含む成形材料を可塑化、溶融、混合、混練する前記第一押出機（１）と、
前記第一押出機（１）内に超臨界状態の不活性ガスを製造、注入する超臨界流体供給装置（３）と、
超臨界状態の不活性ガスが注入された成形材料を前記第一押出機（１）から前記第二押出機（３）へと供給する供給管（３０）とを有する請求項１に記載の成形加工装置。
【請求項５】
外部から供給された成形材料を第二スクリュ（２６）によって混練しながら押出す第二押出機（３）を有する成形加工装置における前記第二スクリュ（２６）を軸封するシール方法において、
前記第二スクリュ（２６）の、スクリュフライト（２６ａ）が形成されている大径部（２６ｂ）の後端側に繋がる根元部（２６ｃ）に形成されている複数の螺旋状の溝部（２６ｄ）と、前記根元部（２６ｃ）を収納するパッキンケース（４２）のうちの前記溝部（２６ｄ）に対応する接続部（４３）との間で成形材料を固化させてマテリアルシールにより軸封することを特徴とするシール方法。
【請求項６】
それぞれ独立して形成された前記各螺旋状の溝部（２６ｄ）により多段のマテリアルシールを形成する、請求項６に記載のシール方法。
【請求項７】
それぞれ前記第二スクリュ（２６）に形成されたスクリュフライト（２６ａ）と同じ方向に傾斜して設けた前記各螺旋状の溝部（２６ｄ）により形成されたマテリアルシールによって、成形材料に対して前記第二スクリュ（２６）の先端側への推進力を付与する、請求項５または６に記載のシール方法。
【発明の詳細な説明】
【技術分野】
【０００１】
本発明は、二酸化炭素、窒素などの不活性ガスの超臨界流体を用いた成形加工に用いられる成形加工装置に関する。さらに詳しくは、第一押出機、第二押出機、超臨界流体供給装置およびダイスからなる成形加工装置において、第二押出機の根本部のシール方法に関する。
【背景技術】
【０００２】
近年、高分子材料を押出発泡成形装置を用いて押出発泡成形する方法において、環境にやさしいクリーンな炭酸ガスや窒素ガスなどの不活性流体を発泡剤として用いて、微細なセルからなるマイクロセルラーフォームを成形する方法が種々検討されている。
【０００３】
また、高分子材料の成形加工工程に超臨界流体を添加して、今までにない材料を創生する試みもなされている（成形加工、ｖｏｌ．１５、Ｎｏ．６、ｐ．３９２、２００３）。
【０００４】
これらの成形加工工程では、複数の押出機を組み合わせた装置構成が用いられることがしばしばある。
【０００５】
例えば、特許文献１に示される装置は、結晶性樹脂を含む成形材料を溶融し、溶融樹脂中に不活性流体を混合する第一押出機と、不活性流体が混合された溶融状態の成形材料を、その状態における成形材料の結晶化温度に対して０．５〜５℃高い温度の範囲で押し出す第二押出機とから構成されている。
【０００６】
この装置における第一押出機の役割は、結晶性樹脂を可塑化・溶融することと、溶融樹脂中に注入された超臨界状態の不活性流体を均一に混合することである。また、第二押出機の役割は、第一押出機から供給される不活性流体が混合された溶融状態の成形材料の温度を、結晶化温度に対して０．５〜５℃高い樹脂温度まで徐々に低下させていくことである。
【特許文献１】特開２００４―３２２３４１号公報
【発明の開示】
【発明が解決しようとする課題】
【０００７】
しかし、このような装置構成の場合、第二押出機内部は不活性ガスを超臨界状態に保持するために、内部圧力を超臨界圧力以上に保持する必要がある。例えば、不活性ガスが二酸化炭素の場合は約７．４ＭＰａ以上、窒素の場合は約３．４ＭＰａ以上に保持する必要がある。
【０００８】
かかる場合において、第二押出機における材料供給部より下流は溶融樹脂がスクリュとシリンダの間に充填しているため、いわゆるマテリアルシールにより高圧を保持することが可能である。しかし材料供給部より上流は樹脂が充満しないためマテリアルシールを形成しない。そのため、軸部分を機械的にシールしておく必要がある。従来この部分にはグランドパッキンなどが適用されているが回転部であるため、長時間運転するとグランドパッキンが摩耗により減少するためスクリュ軸とグランドパッキン間に隙間が発生し圧力を保持できなくなる。そのため、樹脂がこの隙間を通じて濡れてくることがある。
【０００９】
また、溶融樹脂中に超臨界流体が含浸している場合において、樹脂圧力が何らかの原因で低下した場合、溶融樹脂と不活性ガスが分離する。分離したガスは上記の隙間を通じて第二押出機外部に濡れ出すだけでなく溶融樹脂を同伴する。同伴された溶融樹脂はスクリュ軸とグランドパッキンの間に滞留し、隙間をさらに広げるように作用をする。その結果、さらに第二押出機を所定の樹脂圧力に保持することができなくなってしまう場合がある。
【００１０】
図５に、従来の第二押出機の一例におけるスクリュ軸のシール部近傍の一部拡大断面図を示す。
【００１１】
不図示の第一押出機から第二押出機２０２に供給管２３０を介して供給される溶融材料は、第二押出機２０２のシリンダ２２５内に供給されると、その大部分はスクリュ２２６のスクリュフライト２２６ａにより搬送されて不図示のダイス部（下流側）に向かって供給されるが、一部はシリンダ２２５とスクリュ２２６の隙間（クリアランス）から漏出して、スクリュ２２６の上流部に向かってスクリュ２２６とシリンダ２２５を充満していく。ヒータが設けられていない接続部２４３では、溶融材料は冷却・固化するものの樹脂の圧力によって、徐々に上流に向かって漏出していく。
【００１２】
接続部２４３より上流側へと漏出した溶融材料はグランドパッキン２４０によって一時的にシールされる。
【００１３】
グランドパッキン２４０はパッキン保持具２４４によってパッキンケース２４２の保持壁２４６へと押さえつけられ、グランドパッキン２４０がスクリュ軸２２６ｃと接続部２４３の形状に倣うよう変形することによってシールが行われている。
【００１４】
しかし、グランドパッキン２４０は長時間運転するとスクリュ軸２２６ｃとの摩擦により摩耗するためスクリュ軸２２６ｃとグランドパッキン２４０の間に隙間が生じるようになる。一旦隙間が生じると、上述したように、溶融材料中に溶け込んでいた不活性ガスがこの部分を通じて、一気に外部に噴出する。このときの不活性ガスの噴出により溶融材料を同伴すると、溶融材料がグランドパッキン２４０とスクリュ軸２２６ｃの間に入り込むため隙間を形成し、不活性ガスの外部への噴出経路を形成することとなり、再び押出機内部の圧力を保持することが不可能となる。
【００１５】
溶融材料に超臨界状態の不活性ガスが溶け込んでいる場合は、溶融樹脂の粘度が溶融樹脂単体に比べると著しく低下しているため特にこの傾向は著しくなる。例えば、ポリプロピレンの場合は、二酸化炭素を３ｗｔ％含浸することにより溶融粘度は半分以下に低減される。
【００１６】
図６は、超臨界状態の不活性ガスを含浸していない溶融樹脂を材料とする、一般的な２段の押出機からなる高分子材料の加工装置の一従来例のシール部の一部拡大図である。この場合、不図示の第一押出機から第二押出機３０２への溶融材料の供給管３３０は図５に示したものより若干下流側に設けられている。これは、溶融材料がスクリュ３２６とシリンダ３２５の隙間から上流側に漏れ出した場合でも、溶融材料はさらに上流のスクリュフライト３２６ａによって下流に送られるようにしたものである。これにより、接続部３４３側への溶融材料の漏出が抑制される。しかしながら、このような構造をとった場合でも、溶融材料に超臨界状態の不活性ガスが含浸している場合には、上述と同様のメカニズムにより、徐々にスクリュ３２６の上流側に樹脂材料が進み、グランドパッキン３４０とスクリュ軸３２６ｃとの間に隙間が生じ、不活性ガスが噴出し、第二押出機内部の圧力を保持できなくなる。
【００１７】
本発明は、このような不具合に鑑みてなされたものであり、スクリュ軸と軸封部との間からの樹脂およびガス漏れを防止することができる成形加工装置およびシール方法を提供することを目的とする。
【課題を解決するための手段】
【００１８】
上記目的を達成するため、成形加工装置は、第一押出機から供給された成形材料を第二スクリュによって混練しながら押出す第二押出機を有する成形加工装置において、第二スクリュは、第二シリンダ内に収納され、スクリュフライトが形成されている大径部と、第二シリンダの後端側に接続部を介して設けられたパッキンケース内に収納され、一端が大径部に繋がり、他端が第二モータに接続されている根元部とを有し、根元部のうち、パッキンケース内に収納されたグランドパッキンに軸封されている領域と、大径部に繋がる一端との間であり、接続部に対応する領域には、複数の螺旋状の溝部が形成されていることを特徴とする。
【００１９】
上記の通り本発明の成形加工装置は、第二スクリュの根元部であって、接続部に対応する領域に複数の螺旋状の溝部が形成された構造を有する。溝部が形成されていることで根元部と接続部との間に溶融材料が充満する。充満した溶融材料が根元部と接続部との間で固化することで螺旋状のマテリアルシールを形成し、下流から流出してくる溶融材料がさらに上流に進むのを防止し、第二押出機内の圧力を保持することができる。
【００２０】
また、本発明の成形加工装置の各螺旋状の溝部は互いに交差することなくそれぞれ独立して形成されているものであってもよい。この場合、根元部と接続部との間で形成されるマテリアルシールを多重構造のものとすることできるので、より高い耐圧特性を得ることができる。
【００２１】
また、本発明の成形加工装置の各螺旋状の溝部はそれぞれスクリュフライトと同じ方向に傾斜して設けられているものであってもよい。これにより、根元部と接続部との間で固化した樹脂材料があたかもスクリュフライトと同様の役割を果たすこととなり、上流側に流出してきた溶融材料を下流側に押し戻すことでき、その結果、シール性能はさらに向上する。
【００２２】
また、本発明の成形加工装置は、高分子材料を含む成形材料を可塑化、溶融、混合、混練する第一押出機と、第一押出機内に超臨界状態の不活性ガスを製造、注入する超臨界流体供給装置と、超臨界状態の不活性ガスが注入された成形材料を第一押出機から第二押出機へと供給する供給管とを有するものであってもよい。本発明の成形加工装置は、根元部と接続部との間で溶融材料を固化させて螺旋状のマテリアルシールが形成される構成によって高いシール特性を有する。特に、それぞれ独立し、かつスクリュフライトと同じ方向に傾斜して設けらた複数の螺旋状の溝部によって形成される、多重構造であり、かつ下流側に推進力を与える構造のマテリアルシールは、より高いシール特性を有し、第二押出機内の圧力を保持することができる。このため、溶融材料中に含浸している超臨界状態の不活性ガスが圧力低下により溶融材料と分離してしまうのを防止することができる。よって、従来問題であった、分離したガスがシール隙間を通じて第二押出機外部に濡れ出すだけでなく、溶融樹脂を同伴し、隙間をさらに広げることで、第二押出機を所定の樹脂圧力に保持することができなくなってしまうといったことがない。
【００２３】
本発明のシール方法は、外部から供給された成形材料を第二スクリュによって混練しながら押出す第二押出機を有する成形加工装置における第二スクリュを軸封するシール方法において、第二スクリュの、スクリュフライトが形成されている大径部の後端側に繋がる根元部に形成されている複数の螺旋状の溝部と、根元部を収納するパッキンケースのうちの溝部に対応する接続部との間で成形材料を固化させてマテリアルシールにより軸封することを特徴とする。
【００２４】
また、本発明のシール方法は、それぞれ独立して形成された各螺旋状の溝部により多段のマテリアルシールを形成するものであってもよい。
【００２５】
さらに、本発明のシール方法は、それぞれ第二スクリュに形成されたスクリュフライトと同じ方向に傾斜して設けた各螺旋状の溝部により形成されたマテリアルシールによって、成形材料に対して第二スクリュの先端側への推進力を付与するものであってもよい。
【発明の効果】
【００２６】
本発明によれば、第二スクリュの根元部と接続部との間で溶融材料を固化させて螺旋状のマテリアルシールを形成することで樹脂およびガス漏れを防止することができ、第二押出機内の圧力を保持することができる。
【発明を実施するための最良の形態】
【００２７】
図１は、本発明にかかる二酸化炭素、窒素などの不活性ガスの超臨界流体を用いた成形加工に用いられる成形加工装置の全体構成を示したものである。
【００２８】
成形加工装置１００は、結晶性樹脂を可塑化・溶融し、溶融樹脂中に注入された超臨界状態の不活性流体を均一に混合する第一押出機１と、第一押出機１から供給される不活性流体が混合された溶融状態の成形材料の温度を、結晶化温度に対して所定の温度まで徐々に低下させる第二押出機２とを有する。
【００２９】
第一押出機１は、結晶性樹脂を供給するホッパ４と、超臨界状態の不活性流体を供給する超臨界流体供給装置３と、結晶性樹脂を可塑化・溶融する第一スクリュ６と、第一スクリュ６を回転可能に保持する第一シリンダ５と、第一スクリュ６を回転駆動させる第一モータ８と、第一シリンダ５内の材料を加熱するヒータ７とを有する。
【００３０】
第一押出機１の先端には溶融材料を第二押出機２へと供給する供給管３０が設けられている。
【００３１】
第二押出機２は、スクリュフライト２６ａが形成されている大径部２６ｂと一端が大径部２６ｂに繋がり、他端が第二モータ２８に接続されている根元部２６ｃとを有する第二スクリュ２６と、第二スクリュ２６を回転可能に保持する第二シリンダ２５と、第二スクリュ２６を回転駆動させる第二モータ２８と、第二シリンダ２５内の樹脂を加熱するヒータ２７とを有する。
【００３２】
本実施形態の成形加工装置１００は、以下のようにして成形品を成形する。
【００３３】
まず、高分子材料を含む成形材料を第一押出機１で可塑化・溶融、混合・混練したのち、超臨界流体供給装置３から超臨界状態の不活性ガスを注入することで超臨界流体を高分子流体中に混練する。次に、これを供給管３０によって第二押出機２へと供給し、第二押出機２内にて所定の温度の範囲になるように徐々に冷却し、第二押出機２の最下流に設けられたダイス部２９から溶融成形材料を押出し、成形品を成形する。
【００３４】
次に、図２に、図１に示したＡ部、すなわち、シール部近傍の拡大図を示す。
【００３５】
第二押出機２の第二シリンダ２５の上流端と、第二モータ２８との間には、グランドパッキン４０を収納したパッキンケース４２が設けられている。パッキンケース４２はグランドパッキン４０を収納したパッキン収納部４４と、パッキン収納部４４の内径よりも小さい内径の接続部４３とからなる。接続部４３は第二シリンダ２５の後端部（上流端）に接続されている。パッキン収納部４４と接続部４３との間には保持壁４６が設けられている。パッキン収納部４４内にはグランドパッキン４０を保持壁４６側へと押さえつけるパッキン保持具４１が収納されている。グランドパッキン４０はパッキン保持具４１と保持壁４６との間に保持された状態で、後述する第二スクリュ２６の根元部２６ｃを軸封する。
【００３６】
第二スクリュ２６はスクリュフライト２６ａが形成されている大径部２６ｂと、複数の螺旋状の溝部２６ｄが形成された、大径部２６ｂより小径の根元部２６ｃとを有する。根元部２６ｃはその一端が大径部２６ｂに対して一体的に形成されており、他部は第二モータ２８に接続されている。大径部２６ｂは第二シリンダ２５内に収納され、根元部２６ｃはパッキンケース４２内に収納されている。複数の螺旋状の溝部２６ｄは、パッキンケース４２内に収納されている根元部２６ｃのうち、接続部４３に対応する部分に形成されている。
【００３７】
図３に第二スクリュの根元部の一部拡大図を示す。また、図４に図３に示すＡ−Ａ線における根元部の断面図を示す。
【００３８】
根元部２６ｃの螺旋状の溝部２６ｄは複数本形成されており、本実施形態においては４本の螺旋状の溝部２６ｄが根元部２６ｃの円周上９０度の間隔を空けて形成されている。この溝部２６ｄはスクリュフライト２６ａと同じ方向に傾けて形成されている。すなわち、第二スクリュ２６が回転することで溶融材料を下流側（ダイス部２９側）へと搬送する方向に力が加わるように傾けて形成されている。また、螺旋状に形成された４本の溝部２６ｄは互いに交差することなくそれぞれ独立に形成されている。なお、溝の本数は４本に限定されるものではない。
【００３９】
次に、供給管３０から第二押出機２へと供給された溶融材料の挙動および溝部の作用について説明する。
【００４０】
第一押出機１から供給される溶融材料は第二押出機２へと供給されると、その大部分は第二押出機２の第二スクリュ２６のスクリュフライト２６ａにより搬送されて、ダイス部２９に向かって供給される。
【００４１】
しかし、溶融材料の一部は第二シリンダ２５とスクリュフライト２６ａの隙間を通じて上流側（図２参照）に流出する。さらに、上流に流出した溶融材料は第二スクリュ２６に沿って大径部２６ｂから根元部２６ｃへと進む。根元部２６ｃと接続部４３との間へと浸入してきた溶融材料は根元部２６ｃの溝部２６ｄにより下流側へと搬送される力が加えられることでグランドパッキン４０側に流出する前に根元部２６ｃと接続部４３との間に充満する。また、接続部４３はヒータによる加熱が行われていないので、充満した溶融材料は根元部２６ｃと接続部４３との間で固化する。固化した樹脂材料は、いわゆるマテリアルシールとなり、下流から流出してくる溶融材料がさらに上流に進むのを防止し、第二押出機２内の圧力を保持することができる。
【００４２】
また、溝部２６ｄは第二スクリュ２６の回転に対して溶融材料を下流側へと搬送する推進力を発するように形成されているので根元部２６ｃと接続部４３との間で固化した樹脂材料があたかもスクリュフライトと同様の役割を果たすこととなる。これにより、上流側に流出してきた溶融材料を下流側に押し戻すことでき、その結果第二押出機２の供給管３０より上流側におけるシール性能はさらに向上する。
【００４３】
さらに、螺旋状に形成された４本の溝部２６ｄは互いに交差することなくそれぞれ独立に形成されている。これにより、溶融材料が根元部２６ｃと接続部４３との間で固化して形成されるマテリアルシールを４重構造とすることができる。すなわち、下流側に形成されたマテリアルシールにより圧力が保持できなかった場合には、その上流に形成されているマテリアルシールによって圧力を保持するので高い耐圧特性を得ることができる。
【００４４】
なお、根元部２６ｃと接続部４３との間で固化せずにさらに上流側へと流れ込んだ溶融材料については、従来と同じくグランドパッキン４０によりシールされる。しかしながら、本実施形態の場合、上述したように、根元部２６ｃと接続部４３との間で固化した樹脂材料による下流側への樹脂材料の搬送効果により、グランドパッキン４０まで到達する溶融材料の量は従来に比べ少ない。よって、グランドパッキン４０への負荷が小さくなり、グランドパッキン４０による軸封特性の劣化を抑制することもできる。
【００４５】
以上説明したように、本実施形態によれば、根元部２６ｃと接続部４３との間で、溝部２６ｄに沿って多重構造のマテリアルシールが形成される。このため、第一押出機１から超臨界状態の不活性ガスの含浸した溶融材料が第二押出機２に供給された場合において、万一樹脂圧力が何らかの原因で低下して溶融材料と不活性ガスが分離しても、不活性ガスの漏出を防止し、第二押出機２内を所定の圧力に保持することができる。
【実施例】
【００４６】
以下、本発明の実施例について説明する。なお、説明に用いる符号は上述した実施形態と同じ符号を用いるものとする。
【００４７】
本実施例においては、第一押出機１として、可塑化・溶融、混合・混練能力を有する二軸スクリュ押出機（スクリュ径３４ｍｍの二軸押出機）を用い、第二押出機２として単軸スクリュ押出機（スクリュ径４４ｍｍの単軸押出機）を用いた。
【００４８】
第二押出機２の第二スクリュ２６の根元部２６ｃには本発明にかかる複数の螺旋状の溝部２６ｄが形成されている。
第一押出機１に供給される溶融材料としては、ポリプロピレン（ＰＦ８１４：発泡グレード：モンテル社製）を使用した。また、第一押出機１に設けられた超臨界流体供給装置３からは超臨界状態の不活性ガスとして、超臨界状態の二酸化炭素を３ｗｔ％を使用した。第一押出機１にて、ポリプロピレンを可塑化・溶融した後に超臨界状態の二酸化炭素を３ｗｔ％注入して混合・混練、含浸することで製造した溶融材料を、供給管３０を介して第二押出機２の第二シリンダ２５内へと供給した。第二押出機２では溶融材料の温度を徐々に低下させた後、ポリプロピレンの融点（約１６５℃）よりも１０℃高い温度まで徐々に冷却した後、シート状に押し出して発泡させ、発泡シートを成形した。
【００４９】
以上の押出運転を３ヶ月間（１日６時間の断続運転）行った。この間、第二スクリュ２６の根元部２６ｃとグランドパッキン４０との間からのガス漏れ、溶融材料漏れは生じず、第二押出機２内の圧力は安定していた。
【比較例】
【００５０】
比較のため、図３に示した、接続部２４３に対応する部分の根元部２２６ｃに溝部が形成されていないスクリュ２２６を用いた第二押出機２０２を用いて上述した実施例と同じ条件で発泡シートの押出運転を行った。
【００５１】
本比較例の場合、１日６時間の断続運転を１０日間行った後に、スクリュ２２６の根元部２２６ｃとグランドパッキン２４０との間からガスが漏れ出し、その後第二押出機２０２内部を所定の圧力に保持することができなかった。
【図面の簡単な説明】
【００５２】
【図１】本発明にかかる、不活性ガスの超臨界流体を用いる成形加工装置の一例の全体構成である。
【図２】図１中Ａ部の拡大図である。
【図３】第二スクリュにおける根元部の一部拡大図である。
【図４】図３に示すＡ−Ａ線における根元部の断面図である。
【図５】従来の第二押出機の一例のシール部近傍の一部拡大断面図である。
【図６】従来の他の例における第二押出機のシール部近傍の一部拡大断面図である。
【符号の説明】
【００５３】
１    第一押出機
２    第二押出機
３    超臨界流体供給装置
４    ホッパ
５    第一シリンダ
６    第一スクリュ
７    ヒータ
８    第一モータ
２５    第二シリンダ
２６    第二スクリュ
２６ａ    スクリュフライト
２６ｂ    大径部
２６ｃ    根元部
２６ｄ    溝部
２７    ヒータ
２８    第二モータ
２９    ダイス部
３０    供給管
４０    グランドパッキン
４１    パッキン保持具
４２    パッキンケース
４３    接続部
４４    パッキン収納部
４６    保持壁
１００    成形加工装置
【図１】
2006248115.tif 000003
【図２】
2006248115.tif 000004
【図３】
2006248115.tif 000005
【図４】
2006248115.tif 000006
【図５】
2006248115.tif 000007
【図６】
2006248115.tif 000008